(57)【特許請求の範囲】
【請求項１】
直流電源が外部から電源供給線を介して供給され、その直流電源により電源充電線を介して電池を充電する充電器と、上記電源供給線に接続された充電中表示部と、上記充電器が上記電池を充電している時に上記充電中表示部を点灯制御する充電中表示部制御器と、上記電源供給線および上記電源充電線に接続された充電完了着信表示部と、上記充電器が上記電池の充電を完了し、且つその充電器に直流電源が外部から供給されている時に上記充電完了着信表示部を点灯制御すると共に、着信時にその充電完了着信表示部を点滅制御する充電完了着信表示部制御器とを備えた携帯電話機。
【請求項２】
直流電源が外部から電源供給線を介して供給され、その直流電源により電源充電線を介して電池を充電する充電器と、上記電源供給線に接続された充電中表示部と、上記充電器が上記電池を充電している時に上記充電中表示部を点灯制御する充電中表示部制御器と、上記電源供給線および上記電源充電線に接続された充電完了着信表示部と、上記電源供給線と上記充電完了着信表示部との間に接続された第１逆流防止素子と、上記電源充電線と上記充電完了着信表示部との間に接続された第２逆流防止素子と、上記充電器が上記電池の充電を完了し、且つその充電器に直流電源が外部から供給されている時に上記充電完了着信表示部を点灯制御すると共に、着信時にその充電完了着信表示部を点滅制御する充電完了着信表示部制御器とを備えた携帯電話機。
【請求項３】
商用電源を変換した直流電源が外部から電源供給線を介して供給され、その直流電源により電源充電線を介して電池を充電する充電器と、上記電源供給線に接続された充電中表示部と、上記充電器が上記電池を充電している時に上記充電中表示部を点灯制御する充電中表示部制御器と、上記電源供給線および上記電源充電線に接続された充電完了着信表示部と、上記電源供給線と上記充電完了着信表示部との間に、その電源供給線からその充電完了着信表示部の方向を順方向とするように接続された第１ダイオードと、上記電源充電線と上記充電完了着信表示部との間に、その電源充電線からその充電完了着信表示部の方向を順方向とするように接続された第２ダイオードと、上記充電器が上記電池の充電を完了し、且つその充電器に直流電源が外部から供給されている時に上記充電完了着信表示部を点灯制御すると共に、着信時にその充電完了着信表示部を点滅制御する充電完了着信表示部制御器とを備えた携帯電話機。
【請求項４】
商用電源を変換した直流電源が外部から電源供給線を介して供給され、その直流電源により電源充電線を介して電池を充電する充電器と、上記電源供給線に接続された充電中表示部と、上記充電器が上記電池を充電している時に上記充電中表示部を点灯制御する充電中表示部制御器と、上記電源供給線および上記電源充電線に接続された充電完了着信表示部と、上記電源供給線と上記充電完了着信表示部との間に接続された第１スイッチと、上記電源充電線と上記充電完了着信表示部との間に接続された第２スイッチと、上記充電器が上記電池の充電を完了し、且つその充電器に直流電源が外部から供給されている時に上記充電完了着信表示部を点灯制御すると共に、着信時にその充電完了着信表示部を点滅制御する充電完了着信表示部制御器とを備え、上記充電器は、その充電器に直流電源が外部から供給されている時に上記第１スイッチをオンにすると共に上記第２スイッチをオフにし、その充電器に直流電源が外部から供給されていない時にその第１スイッチをオフにすると共にその第２スイッチをオンにすることを特徴とする携帯電話機。
【発明の詳細な説明】
【０００１】
【発明の属する技術分野】
この発明は、充電中表示、充電完了表示および着信表示する携帯電話機に関するものである。
【０００２】
【従来の技術】
図３は従来の携帯電話機を示す構成図であり、図において、１は商用交流電源を直流電源に変換するＡＣ／ＤＣ変換器、２は携帯電話機３に設けられたコネクタ、４は携帯電話機３に取り付けられる電池である。
携帯電話機３内において、５は電池４を充電する充電器、６はアンテナ１４からの電波を受信する無線部、７はマイクロコンピュータ（以下、マイコンと言う）である。８は充電中表示ＬＥＤ、９は充電完了表示ＬＥＤ、１０は着信表示ＬＥＤ、１１は充電中表示ＬＥＤ制御器、１２は充電完了表示ＬＥＤ制御器、１３は着信表示ＬＥＤ制御器である。
【０００３】
次に動作について説明する。
ＡＣ／ＤＣ変換器１がコネクタ２を介して携帯電話機３に接続されれば、その携帯電話機３内の充電器５に直流電源が供給され、充電器５は電池４を充電する。充電中は、充電器５から充電中表示ＬＥＤ制御器１１に充電中信号が出力され、その充電中表示ＬＥＤ制御器１１は充電中表示ＬＥＤ８を点灯させる。
充電完了時は、充電器５から充電完了表示ＬＥＤ制御器１２に充電完了信号が出力され、その充電完了表示ＬＥＤ制御器１２は充電完了表示ＬＥＤ９を点灯させる。また、この時、充電完了信号は充電中表示ＬＥＤ制御器１１にも出力され、その充電中表示ＬＥＤ制御器１１は充電中表示ＬＥＤ８を消灯させる。
着信時は、アンテナ１４からの電波を無線部６が受信し、その無線部６がマイコン７に受信信号を出力し、そのマイコン７から着信表示ＬＥＤ制御器１３に着信信号が出力され、その着信表示ＬＥＤ制御器１３は着信表示ＬＥＤ１０を点滅させる。
【０００４】
また、図４は従来の携帯電話機を示す構成図であり、この構成は、図３において、充電完了表示ＬＥＤ９および充電完了表示ＬＥＤ制御器１２を省いたものであり、それらの機能を、充電中表示ＬＥＤ８および充電中表示ＬＥＤ制御器１１に持たせたものである。
【０００５】
次に動作について説明する。
充電中は、充電器５から充電中表示ＬＥＤ制御器１１に充電中信号が出力され、その充電中表示ＬＥＤ制御器１１は充電中表示ＬＥＤ８を点灯させる。
充電完了時は、充電器５から充電中表示ＬＥＤ制御器１１に充電完了信号が出力され、その充電中表示ＬＥＤ制御器１１は充電中表示ＬＥＤ８を消灯させることで充電完了表示させる。
【０００６】
【発明が解決しようとする課題】
従来の携帯電話機は以上のように構成されているので、図３に示したように、充電中表示ＬＥＤ８、充電完了表示ＬＥＤ９、および着信表示ＬＥＤ１０と、それぞれ別個にＬＥＤを設けた場合、ＬＥＤの数も多くなり、構成が煩雑になってしまう。
また、この課題を解決するために、充電完了表示と着信表示とを同一のＬＥＤにすることも考えられるが、着信表示させるにはＬＥＤの電源を必ず電池４から給電する必要があり、単に電源を電池４にしてしまうと充電完了時に充電完了のＬＥＤも電池４から電流を消費してしまうため、充電した電池４の電気量が消耗してしまうという課題があった。
また、図４に示したように、充電完了表示ＬＥＤ９を省略し、充電中表示ＬＥＤ８の消灯により充電完了表示をすれば、構成が煩雑になることなく、充電完了表示による電池４の電気量が消耗してしまうという課題を解消することができるが、充電中表示ＬＥＤ８の消灯により充電完了表示しているので、それら充電中表示ＬＥＤ制御器１１および充電中表示ＬＥＤ８から成る回路に故障が発生した場合に、充電中であるにもかかわらず消灯してしまって充電完了と回路故障とが識別できないなどという課題があった。
【０００７】
この発明は上記のような課題を解決するためになされたもので、表示部の個数を低減できると共に、充電完了表示により電池の電気量を消耗させることなく、また、充電完了と回路故障とが識別することができる携帯電話機を得ることを目的とする。
【０００８】
【課題を解決するための手段】
この発明に係る携帯電話機は、充電器が電池を充電している時に充電中表示部を点灯制御する充電中表示部制御器と、電源供給線および電源充電線に接続された充電完了着信表示部と、充電器が電池の充電を完了し、且つ充電器に直流電源が外部から供給されている時に充電完了着信表示部を点灯制御すると共に、着信時に充電完了着信表示部を点滅制御する充電完了着信表示部制御器とを備えたものである。
【０００９】
この発明に係る携帯電話機は、電源供給線と充電完了着信表示部との間に接続された第１逆流防止素子と、電源充電線と充電完了着信表示部との間に接続された第２逆流防止素子とを備えたものである。
【００１０】
この発明に係る携帯電話機は、電源供給線と充電完了着信表示部との間に、電源供給線から充電完了着信表示部の方向を順方向とするように接続された第１ダイオードと、電源充電線と充電完了着信表示部との間に、電源充電線から充電完了着信表示部の方向を順方向とするように接続された第２ダイオードとを備えたものである。
【００１１】
この発明に係る携帯電話機は、電源供給線と充電完了着信表示部との間に接続された第１スイッチと、電源充電線と充電完了着信表示部との間に接続された第２スイッチと、充電器に直流電源が外部から供給されている時に第１スイッチをオンにすると共に第２スイッチをオフにし、充電器に直流電源が外部から供給されていない時に第１スイッチをオフにすると共に第２スイッチをオンにする充電器とを備えたものである。
【００１２】
【発明の実施の形態】
以下、この発明の実施の一形態を説明する。
実施の形態１．
図１はこの発明の実施の形態１による携帯電話機を示す構成図であり、図において、１は商用交流電源を直流電源に変換するＡＣ／ＤＣ変換器、２は携帯電話機３に設けられたコネクタ、４は携帯電話機３に取り付けられる電池である。
携帯電話機３内において、Ａは電源供給線、Ｂは電源充電線であり、５は外部から電源供給線Ａを介して供給された直流電源により電源充電線Ｂを介して電池４を充電する充電器、６はアンテナ１４からの電波を受信する無線部、７はマイクロコンピュータ（以下、マイコンと言う）である。８は電源供給線Ａに接続された充電中表示ＬＥＤ（充電中表示部）、１１は充電器５が電池４を充電している時に充電中表示ＬＥＤ８を点灯制御する充電中表示ＬＥＤ制御器（充電中表示部制御器）である。
また、１５は電源供給線Ａおよび電源充電線Ｂに接続された充電完了着信表示ＬＥＤ（充電完了着信表示部）、１６は充電器５が電池４の充電を完了し、且つ充電器５に直流電源が外部から供給されている時に充電完了着信表示ＬＥＤ１５を点灯制御すると共に、着信時に充電完了着信表示ＬＥＤ１５を点滅制御する充電完了着信表示ＬＥＤ制御器（充電完了着信表示部制御器）である。
さらに、１７は電源供給線Ａと充電完了着信表示ＬＥＤ１５との間に、その電源供給線Ａから充電完了着信表示ＬＥＤ１５の方向を順方向とするように接続されたダイオード（第１逆流防止素子，第１ダイオード）、１８は電源充電線Ｂと充電完了着信表示ＬＥＤ１５との間に、その電源充電線Ｂからその充電完了着信表示ＬＥＤ１５の方向を順方向とするように接続されたダイオード（第２逆流防止素子，第２ダイオード）である。
【００１３】
次に動作について説明する。
ＡＣ／ＤＣ変換器１がコネクタ２を介して携帯電話機３に接続されれば、その携帯電話機３内の充電器５に直流電源が供給され、充電器５は電池４を充電する。充電中は、充電器５から充電中表示ＬＥＤ制御器１１に充電中信号が出力され、その充電中表示ＬＥＤ制御器１１は充電中表示ＬＥＤ８を点灯させる。
充電完了時は、充電器５から充電完了着信表示ＬＥＤ制御器１６に充電完了信号が出力され、その充電完了着信表示ＬＥＤ制御器１６は充電完了着信表示ＬＥＤ１５を点灯させる。また、この時、充電完了信号は充電中表示ＬＥＤ制御器１１にも出力され、その充電中表示ＬＥＤ制御器１１は充電中表示ＬＥＤ８を消灯させる。この充電中表示ＬＥＤ８の消灯の目的は、２つのＬＥＤの同時点灯による色の混ざりを防止するためである。
着信時は、アンテナ１４からの電波を無線部６が受信し、その無線部６がマイコン７に受信信号を出力し、そのマイコン７から充電完了着信表示ＬＥＤ制御器１６に着信信号が出力され、その充電完了着信表示ＬＥＤ制御器１６は充電完了着信表示ＬＥＤ１５を点滅させる。また、この時、着信信号は充電中表示ＬＥＤ制御器１１にも出力され、その充電中表示ＬＥＤ制御器１１は充電中表示ＬＥＤ８を消灯させる。この充電中表示ＬＥＤ８の消灯の目的は、前述同様、２つのＬＥＤの同時点灯による色の混ざりを防止するためである。
【００１４】
充電完了時は、充電中表示ＬＥＤ８を消灯し、充電完了着信表示ＬＥＤ１５を点灯しているが、この時、充電完了着信表示ＬＥＤ１５の電源は、外部のＡＣ／ＤＣ変換器１からダイオード１７を介して給電しているため電池４の消耗はない。
また、充電完了状態での着信時は、着信信号により充電完了着信表示ＬＥＤ制御器１６により、充電完了着信表示ＬＥＤ１５を点灯状態から点滅状態にさせることができるが、その充電完了着信表示ＬＥＤ１５の電源も、外部のＡＣ／ＤＣ変換器１からダイオード１７を介して給電しているため電池４の消耗はない。
さらに、コネクタ２からＡＣ／ＤＣ変換器１を取り外した後での着信時も、着信信号により充電完了着信表示ＬＥＤ制御器１６により、充電完了着信表示ＬＥＤ１５を点滅状態にさせることができるが、その充電完了着信表示ＬＥＤ１５の電源は、電池４からダイオード１８を介して給電することができる。
【００１５】
以上のように、この実施の形態１によれば、充電完了表示と着信表示とを１つの充電完了着信表示ＬＥＤ１５により構成したので、ＬＥＤの個数を低減できる。また、コネクタ２にＡＣ／ＤＣ変換器１が接続されている時は、充電完了着信表示ＬＥＤ１５の電源がそのＡＣ／ＤＣ変換器１から供給されるので、電池４の電気量を消耗させることがない。さらに、充電完了を充電完了着信表示ＬＥＤ１５の点灯により表示するので、充電完了と回路故障とを識別することができる。
【００１６】
実施の形態２．
図２はこの発明の実施の形態２による携帯電話機を示す構成図であり、図において、２０は電源供給線Ａと充電完了着信表示ＬＥＤ１５との間に接続されたスイッチ（第１逆流防止素子，第１スイッチ）、２１は電源充電線Ｂと充電完了着信表示ＬＥＤ１５との間に接続されたスイッチ（第２逆流防止素子，第２スイッチ）である。
また、充電器５は、その充電器５に直流電源が外部から供給されている時にスイッチ２０をオンにすると共にスイッチ２１をオフにし、充電器５に直流電源が外部から供給されていない時にスイッチ２０をオフにすると共にスイッチ２１をオンにする制御信号を出力する機能を備えたものである。
その他の構成は図１と同一なので同一符号を付してその重複する説明を省略する。
【００１７】
次に動作について説明する。
上記実施の形態１では、ダイオード１７，１８を用いたが、この実施の形態２では、スイッチ２０，２１を用いるものである。
これらスイッチ２０，２１は、充電器５の機能により、コネクタ２にＡＣ／ＤＣ変換器１が接続されている時に、スイッチ２０をオンにすると共にスイッチ２１をオフにする制御信号を出力し、コネクタ２からＡＣ／ＤＣ変換器１が取り外された時に、スイッチ２０をオフにすると共にスイッチ２１をオンにする制御信号を出力する。
【００１８】
従って、充電完了着信表示ＬＥＤ１５の電源は、外部のＡＣ／ＤＣ変換器１からスイッチ２０を介して給電されているため電池４の消耗はない。
また、充電完了状態での着信時の充電完了着信表示ＬＥＤ１５の電源も、コネクタ２にＡＣ／ＤＣ変換器１が接続されている時は、そのＡＣ／ＤＣ変換器１からスイッチ２０を介して給電されるため電池４の消耗はなく、さらに、コネクタ２からＡＣ／ＤＣ変換器１を取り外した後では、電池４からスイッチ２１を介して給電することができる。
【００１９】
以上のように、この実施の形態２によれば、充電完了表示と着信表示とを１つの充電完了着信表示ＬＥＤ１５により構成したので、ＬＥＤの個数を低減できる。また、コネクタ２にＡＣ／ＤＣ変換器１が接続されている時は、充電完了着信表示ＬＥＤ１５の電源がそのＡＣ／ＤＣ変換器１から供給されるので、電池４の電気量を消耗させることがない。さらに、充電完了を充電完了着信表示ＬＥＤ１５の点灯により表示するので、充電完了と回路故障とを識別することができる。
【００２０】
【発明の効果】
以上のように、この発明によれば、充電完了表示と着信表示とを１つの充電完了着信表示部により構成したので、表示部の個数を低減できる。また、充電器に直流電源が外部から供給されている時は、充電完了着信表示部の電源がその外部の直流電源から供給されるので、電池の電気量を消耗させることがない。さらに、充電完了を充電完了着信表示部の点灯により表示するので、充電完了と回路故障とを識別することができる効果が得られる。
【００２１】
この発明によれば、充電完了表示と着信表示とを１つの充電完了着信表示部により構成したので、表示部の個数を低減できる。また、充電器に直流電源が外部から供給されている時は、充電完了着信表示部の電源がその外部の直流電源から第１逆流防止素子を介して供給されるので、電池の電気量を消耗させることがない。さらに、充電完了を充電完了着信表示部の点灯により表示するので、充電完了と回路故障とを識別することができる効果が得られる。
【００２２】
この発明によれば、充電完了表示と着信表示とを１つの充電完了着信表示部により構成したので、表示部の個数を低減できる。また、充電器に直流電源が外部から供給されている時は、充電完了着信表示部の電源がその外部の直流電源から第１ダイオードを介して供給されるので、電池の電気量を消耗させることがない。さらに、充電完了を充電完了着信表示部の点灯により表示するので、充電完了と回路故障とを識別することができる効果が得られる。
【００２３】
この発明によれば、充電完了表示と着信表示とを１つの充電完了着信表示部により構成したので、表示部の個数を低減できる。また、充電器に直流電源が外部から供給されている時は、充電完了着信表示部の電源がその外部の直流電源から第１スイッチを介して供給されるので、電池の電気量を消耗させることがない。さらに、充電完了を充電完了着信表示部の点灯により表示するので、充電完了と回路故障とを識別することができる効果が得られる。
【図面の簡単な説明】
【図１】この発明の実施の形態１による携帯電話機を示す構成図である。
【図２】この発明の実施の形態２による携帯電話機を示す構成図である。
【図３】従来の携帯電話機を示す構成図である。
【図４】従来の携帯電話機を示す構成図である。
【符号の説明】
３  携帯電話機、４  電池、５  充電器、８  充電中表示ＬＥＤ（充電中表示部）、１１  充電中表示ＬＥＤ制御器（充電中表示部制御器）、１５  充電完了着信表示ＬＥＤ（充電完了着信表示部）、１６  充電完了着信表示ＬＥＤ制御器（充電完了着信表示部制御器）、１７  ダイオード（第１逆流防止素子，第１ダイオード）、１８  ダイオード（第２逆流防止素子，第２ダイオード）、２０  スイッチ（第１逆流防止素子，第１スイッチ）、２１  スイッチ（第２逆流防止素子，第２スイッチ）、Ａ  電源供給線、Ｂ  電源充電線。
【図１】
0003545211.tif 000002
【図２】
0003545211.tif 000003
【図３】
0003545211.tif 000004
【図４】
0003545211.tif 000005